(57)【要約】【課題】  下枠に疵や変形を生じさせることなくロック受部を確実に固定することができるシャッターを提供する。【解決手段】  建物の開口を開閉可能に閉鎖するシャッター板２の端板部１０にこれを閉鎖位置で施錠するためのロック機構１３を左右方向に移動可能に設けると共に、前記端板部１０が閉鎖位置で当接する下枠７に前記ロック機構１３と係合されるロック受部１４を左右方向に移動可能に設けたシャッター１であって、前記下枠７には前記ロック受部１４を左右方向に移動可能に支持する一対のガイド片部２７ａ，２７ｂが設けられ、前記ロック受部１４には少なくとも一方のガイド片部２７ａを挟み込んでロック受部１４を固定するための挟持部２８が設けられている。【選択図】          図４
2006283293.tif 000002
【特許請求の範囲】
【請求項１】
建物の開口を開閉可能に閉鎖するシャッター板の端板部にこれを閉鎖位置で施錠するためのロック機構を左右方向に移動可能に設けると共に、前記端板部が閉鎖位置で当接する下枠に前記ロック機構と係合されるロック受部を左右方向に移動可能に設けたシャッターであって、前記下枠には前記ロック受部を左右方向に移動可能に支持する一対のガイド片部が設けられ、前記ロック受部には少なくとも一方のガイド片部を挟み込んでロック受部を固定するための挟持部が設けられていることを特徴とするシャッター。
【請求項２】
建物の開口を開閉可能に閉鎖するシャッター板の端板部にこれを閉鎖位置で施錠するためのロック機構を左右方向に移動可能に設けると共に、前記端板部が閉鎖位置で当接する下枠に前記ロック機構と係合されるロック受部を左右方向に移動可能に設けたシャッターであって、前記下枠には前記ロック受部を左右方向に移動可能に支持する一対のガイド片部が設けられ、前記ロック受部には一方のガイド片部を挟み込んでロック受部を固定するための挟持部が設けられ、該挟持部は、ロック受部本体と、該ロック受部本体にネジで締め付けられるワッシャとで構成され、ロック受部本体とワッシャとでガイド片部を挟み込んで締め付け固定していることを特徴とするシャッター。
【発明の詳細な説明】
【技術分野】
【０００１】
本発明は、シャッターに係り、特に下枠に左右方向に移動可能に設けられるロック受部の固定構造を改良したシャッターに関する。
【背景技術】
【０００２】
建物の窓や出入口等の開口にサッシを設けると共に、そのサッシの外側に防犯や雨除け等として、シャッターを取付けることが行われている（特開平９-３１７３６０号公報、特開２００１−３１１３４１号公報等参照）。このようなシャッターにおいては、建物の開口を開閉可能に閉鎖するシャッター板の端板部にこれを閉鎖位置で施錠するためのロック機構を左右方向に移動可能に設けると共に、前記端板部が閉鎖位置で当接する下枠に前記ロック機構と係合されるロック受部を左右方向に移動可能に設けることにより、ロック機構及びロック受部を左右方向の任意の位置に取付可能としている。
【０００３】
図７は従来のシャッターにおけるロック受部の取付構造を示す要部断面図である。このシャッターにおいては、下枠７の上面部にはロック受部１４を左右方向に移動可能に支持する一対のガイド片部２７ａ，２７ｂが設けられ、ロック受部１４にはこれを下枠１７上の左右方向の任意の位置に固定するためのネジ４０が捩じ込まれている。すなわち、ネジ４０を捩じ込むと、ネジ４０の先端部（下端部）が下枠７の上面に押し付けられ、その反力でロック受部１４が押し上げられてガイド片部２７ａ，２７ｂに押付けられることにより、ロック受部１４の動きが拘束されてロック受部１４が固定されるようになっている。
【０００４】
【特許文献１】特開平９-３１７３６０号公報
【特許文献２】特開２００１−３１１３４１号公報
【発明の開示】
【発明が解決しようとする課題】
【０００５】
しかしながら、前記シャッターにおいては、ロック受部１４に貫通させて捩じ込んだネジ４０の先端部を下枠７の上面に押し付けてロック受部１４を固定する構造であるため、ロック受部１４を確実に固定するべくネジ４０を強めに締め付けた場合、下枠７に疵が付いたり、下枠７が凹んだりして意匠性が損なわれる可能性がある。
【０００６】
本発明は、上記事情を考慮してなされたものであり、下枠に疵や変形を生じさせることなくロック受部を確実に固定することができるシャッターを提供することを目的とする。
【課題を解決するための手段】
【０００７】
本発明のうち、請求項１に係る発明は、建物の開口を開閉可能に閉鎖するシャッター板の端板部にこれを閉鎖位置で施錠するためのロック機構を左右方向に移動可能に設けると共に、前記端板部が閉鎖位置で当接する下枠に前記ロック機構と係合されるロック受部を左右方向に移動可能に設けたシャッターであって、前記下枠には前記ロック受部を左右方向に移動可能に支持する一対のガイド片部が設けられ、前記ロック受部には少なくとも一方のガイド片部を挟み込んでロック受部を固定するための挟持部が設けられていることを特徴とする。
【０００８】
請求項２に係る発明は、建物の開口を開閉可能に閉鎖するシャッター板の端板部にこれを閉鎖位置で施錠するためのロック機構を左右方向に移動可能に設けると共に、前記端板部が閉鎖位置で当接する下枠に前記ロック機構と係合されるロック受部を左右方向に移動可能に設けたシャッターであって、前記下枠には前記ロック受部を左右方向に移動可能に支持する一対のガイド片部が設けられ、前記ロック受部には一方のガイド片部を挟み込んでロック受部を固定するための挟持部が設けられ、該挟持部は、ロック受部本体と、該ロック受部本体にネジで締め付けられるワッシャとで構成され、ロック受部本体とワッシャとでガイド片部を挟み込んで締め付け固定していることを特徴とする
【発明の効果】
【０００９】
請求項１に係る発明によれば、建物の開口を開閉可能に閉鎖するシャッター板の端板部にこれを閉鎖位置で施錠するためのロック機構を左右方向に移動可能に設けると共に、前記端板部が閉鎖位置で当接する下枠に前記ロック機構のロック受部を左右方向に移動可能に設けたシャッターであって、前記下枠には前記ロック受部を左右方向に移動可能に支持する一対のガイド片部が設けられ、前記ロック受部には少なくとも一方のガイド片部を挟み込んでロック受部を固定するための挟持部が設けられているため、下枠に疵や変形を生じさせることなくロック受部を確実に固定することができる。
【００１０】
請求項２に係る発明によれば、建物の開口を開閉可能に閉鎖するシャッター板の端板部にこれを閉鎖位置で施錠するためのロック機構を左右方向に移動可能に設けると共に、前記端板部が閉鎖位置で当接する下枠に前記ロック機構のロック受部を左右方向に移動可能に設けたシャッターであって、前記下枠には前記ロック受部を左右方向に移動可能に支持する一対のガイド片部が設けられ、前記ロック受部には一方のガイド片部を挟み込んでロック受部を固定するための挟持部が設けられ、該挟持部は、ロック受部本体と、該ロック受部本体にネジで締め付けられるワッシャとで構成され、ロック受部本体とワッシャとでガイド片部を挟み込んで締め付け固定しているため、簡単な構造で、下枠に疵や変形を生じさせることなくロック受部を確実に固定することができる。
【発明を実施するための最良の形態】
【００１１】
以下に、本発明を実施するための最良の形態について、添付図面を基に詳述する。図１は本発明の実施の形態であるシャッターを概略的に示す室内側斜視図、図２は同シャッターの要部を示す斜視図、図３は下枠上に設けられたロック受部を示す平面図、図４は同ロック受部の要部断面図、図５は同ロック受部の分解図である。
【００１２】
図１に示すように、シャッター１は建物の開口を開閉すべく巻き上げ下げされるシャッター板２を備えている。更に具体的には、シャッター１は、建物の躯体に取付けられて前記シャッター板２を上下方向に移動可能に支持するシャッター枠３と、このシャッター枠３の上部に設けられ、前記シャッター板２を巻き上げる巻上ドラムを収容したシャッターボックス４とを備えている。
【００１３】
前記シャッター枠３は、建物の開口の両側位置に配置される左右の縦枠５，５を備え、両縦枠５，５の室外側には、シャッター板の左右両側部を上下方向に案内するガイド溝を有するガイドレール６が一体又は別体で設けられている。図示例のシャッター１は、建物の開口に取付けられるサッシの室外側に雨戸代わりに設置されるタイプのものであり、そのシャッター枠３においては、左右の縦枠５，５の下端部間に掛け渡された下枠７を備えている。
【００１４】
前記シャッター板（シャッターカーテンともいう）２は、左右方向に細長い金属製板材（スラット）８をヒンジ部９を介してよろい状上下方向につないでなり、下端に端板部（エンドスラット）１０を有している。この端板部１０は、図２に示すように、室内側に開放した断面略コ字状に形成されており、その上下の対向面部には、後述するロック機構１３を端板部１０の左右方向の任意の位置に取付可能とする上下一対のリブ状ないしフィン状のガイド片部１１ａ，１１ｂと、これらガイド片部１１ａ，１１ｂによって区画され、ロック機構１３の裏当板１８を左右方向にスライド可能に係合可能なガイド溝１２ａ，１２ｂとが左右方向に連続して形成されている。
【００１５】
そして、シャッター板２の端板部１０の室内側には、シャッター板２を開口の最下部まで引き下げた閉鎖位置に施錠するためのロック機構１３が設けられている。また、下枠７の前記ロック機構１３と対応する位置には、ロック機構１３と係合されるロック受部（ロック受部材又はストライカともいう）１４が設けられている。下枠７にはロック受部１４がロック機構１３と対応し得るように左右方向に移動可能に設けられている。
【００１６】
ロック機構１３は、断面コ字状のベースプレート１５を有し、このベースプレート１５の一側部（右側部）には、前記端板部１０のガイド溝１２ａ，１２ｂに室内側から差し込まれてガイド片部１１ａ，１１ｂの室外面に係止される係止爪部（図示省略）が上下に突出形成され、他の一側部（左側部）には、ガイド片部１１ａ，１１ｂの室内面に当接される当接板部１７が外側に曲げ加工により一体形成されている。この当接板部１７の室外側には、前記端板部１０のガイド溝１２ａ，１２ｂに差し込まれてガイド片部１１ａ，１１ｂの室外面に当接し、当接板部１７との間でガイド片部１１ａ，１１ｂを前後から挟持する縦長の裏当板１８が固着具例えばネジ１９により締め付け可能及びネジ１９を中心に回動可能に取付けられている。
【００１７】
前記ベースプレート１５の凹部側には、ロック部材（ラッチ）２１と、レバー２２とがそれぞれ支軸２３，２４を介して回動可能に取付けられている。前記レバー２２の先端は、ベースプレート１５の一側部に形成した切欠部を通って側方へ延出され、その先端には樹脂製の操作部２５が設けられている。前記ベースプレート１５には、ロック受部１４の受ピン３２が下方から入り込む切欠部２６が形成されている。
【００１８】
前記ロック部材２１は、受ピン３１を係合可能な窪み２１ａを有し、シャッター板２の端板部１０が閉鎖位置に下降されると、ロック受部１４の受ピン３１に当接して解錠位置から施錠位置に回動して受ピン３１を窪み２１ａと切欠部２６内に抱え込んで係止するようになっている。レバー２２とロック部材２１との間には、レバー２２をロック部材２１の周面に接触させる方向（下方向、時計方向）に付勢すると共にロック部材２１を解錠方向（反時計方向）に付勢する付勢手段であるバネ（図示省略）が取付けられている。
【００１９】
また、前記ロック部材２１の周面には突起部（図示省略）が形成され、レバー２２にはロック部材２１が施錠方向に回動したときにその突起部と係合してロック部材２１を施錠状態に保持するストッパー部（図示省略）が形成されている。この施錠状態において、前記レバー２２の操作部２５を解錠方向（上方向、反時計方向）に回動操作すると、ロック部材２１の突起部とストッパー部との係合が外れ、ロック部材２１がバネの付勢力で解錠方向に回動してロック受部１４を開放し、シャッター板２が開放可能となる。
【００２０】
一方、前記シャッター枠３の下枠７には、図３ないし図４にも示すように、前記ロック受部１４を左右方向に移動可能に支持する一対のガイド片部２７ａ，２７ｂが設けられ、前記ロック受部１４には少なくとも一方（図示例では一方）のガイド片部２７ａを挟み込んでロック受部１４を固定するための挟持部２８が設けられている。シャッター板２の端板部１０の下側を収容可能な溝部２９が形成され、この溝部２９の水平面（下枠の上面）２９ａおよび室内側の垂直面２９ｂにはロック受部１４を左右方向に移動可能に取付けるための断面Ｌ字状のガイド片部２７ａ，２７ｂが長手方向（左右方向）に連続して形成されている。
【００２１】
前記ロック受部１４は、断面Ｌ字状のベース部であるロック受部本体１４ａを有し、このロック受部本体１４ａの水平部１４ｘと、垂直部１４ｙに形成された断面Ｌ字状の突片部３０とが前記下枠７の溝部２９内のガイド片部２７ａ，２７ｂにスライド可能に支持されている。ロック受部本体１４ａを断面Ｌ字状にし、このロック受部本体１４ａを下枠７の水平面２９ａ上及び垂直面２９ｂ上に設けたガイド片部２７ａ，２７ｂにより支持するようにしたのは、ガイド片部２７ａ，２７ｂの上方向への引っ張り強度を上げるため及びロック受部１４のガタを抑制するためである。ロック受部１４の垂直部１４ｙには前記受ピン３１が室外側に突設されている。
【００２２】
このロック受部本体１４ａの水平部１４ｘに、前記挟持部２８が設けられている。この挟持部２８は、図４ないし図５にも示すように、ロック受部本体１４ａと、該ロック受部本体１４ａに固着具であるネジ３２で締め付けられるワッシャ３３とで構成され、ロック受部本体１４ａとワッシャ３３とでガイド片部２７ａを挟み込んで締め付け固定している。前記ロック受部本体１４ａの水平部１４ｘの上面にワッシャ３３がネジ３２で取付けられている。ロック受部本体１４ａの水平部１４ｘにはネジ３２を垂直に捩じ込むための雌ネジ孔部３４が設けられている。
【００２３】
ロック受部本体１４ａの上面すなわち水平部１４ｘの上面には、ワッシャー３３の外径よりも小さく且つガイド片部２７ａと干渉しない突出部（隆起部）３５が設けられている。この突出部３５は平面略円形であり、その略中心部に前記雌ネジ孔３４が設けられている。突出部３５の突出量はガイド片部２７ａの厚みよりも若干小さく形成され、これによりロック受部本体１４ａとの間でガイド片部２７ａを挟み込むワッシャ３３がネジ３２の締め付けにより傾ぐのを抑え、ロック受部１４を確実に固定できるようになっている。
【００２４】
以上のように構成されたシャッター１によれば、建物の開口を開閉可能に閉鎖するシャッター板２の端板部１０にこれを閉鎖位置で施錠するためのロック機構１３を左右方向に移動可能に設けると共に、前記端板部１０が閉鎖位置で当接する下枠７に前記ロック機構１３と係合されるロック受部１４を左右方向に移動可能に設け、前記下枠７には前記ロック受部１４を左右方向に移動可能に支持する一対のガイド片部２７ａ，２７ｂが設けられ、前記ロック受部１４には少なくとも一方のガイド片部２７ａを挟み込んでロック受部１４を固定するための挟持部２８が設けられているため、下枠７に疵や変形を生じさせることなくロック受部１４を確実に固定することができる。
【００２５】
すなわち、前記挟持部２８はロック受部本体１４ａと、該ロック受部本体１４ａにネジ３２で締め付けられるワッシャ３３とで構成され、ロック受部本体１４ａとワッシャ３３とでガイド片部２７ａを挟み込んで締め付け固定しているため、ネジの先端部を下枠の上面に押付けてロック受部を固定している従来の構造と異なり、下枠７に疵や変形を生じさせることなく簡単な構造でロック受部１４を確実に固定することができる。また、ロック受部本体１４ａには、ロック受部本体１４ａとワッシャ３３との間にガイド片部２７ａの厚みよりも若干狭い隙間を形成するための突出部３５が設けられているため、ロック受部本体１４ａとの間でガイド片部２７ａを挟み込むワッシャ３３がネジ３２の締め付けにより傾ぐのを抑えることができ、ロック受部１４を確実に固定することができる。
【００２６】
図６は本発明の別の実施例を示すロック受部の平面図である。本実施例において、前記実施例と同一部分は同一符合を付して説明を省略し、異なる部分について説明を加える。このロック受部１４においては、円形のワッシャ３３の代わりに、異形（上方から見て上下左右に非対称）のワッシャ３６が用いられている。この異形ワッシャ３６は、平面略四角形に形成されると共にその中心より偏心した位置（上下左右非対称位置）にネジ３２を挿入する孔部が形成されている。
【００２７】
円形のワッシャの片方の面の一部分にバリがある場合、そのバリがガイド片部２７ａに接すると、ネジ３２を締め付けたときやネジ３２を緩めてロック受部１４をガイド片部２７ａに沿って左右に移動させたときに、バリによってガイド片部２７ａの上面に傷を付けやすいが、前記異形のワッシャ３６を用いることにより、バリがガイド片部２７ａに接しないようにワッシャ３６の向きを変えて取付けることができ、ワッシャの組付け時にバリの方向を管理しやすくなり、検査工程を省略することが可能となる。
【００２８】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。下枠７の水平面に一対のガイド片部２７ａ，２７ｂが形成されていても良く、挟持部２８は両ガイド片部２７ａ，２７ｂを挟み込むように構成されていても良い。
【図面の簡単な説明】
【００２９】
【図１】本発明の実施の形態であるシャッターを概略的に示す室内側斜視図である。
【図２】同シャッターの要部を示す斜視図である。
【図３】下枠上に設けられたロック受部を示す平面図である。
【図４】同ロック受部の要部断面図である。
【図５】同ロック受部の分解図である。
【図６】本発明の別の実施例を示すロック受部の平面図である。
【図７】従来のシャッターにおけるロック受部の取付構造を示す要部断面図である。
【符号の説明】
【００３０】
１  シャッター
２  シャッター板
７  下枠
１０  端板部
１３  ロック機構
１４  ロック受部
２７ａ，２７ｂ  ガイド片部
２８  挟持部
３２  ネジ
３３  ワッシャ
【図１】
2006283293.tif 000003
【図２】
2006283293.tif 000004
【図３】
2006283293.tif 000005
【図４】
2006283293.tif 000006
【図５】
2006283293.tif 000007
【図６】
2006283293.tif 000008
【図７】
2006283293.tif 000009